(57)【要約】【課題】励起レーザ光により励起されるレーザ媒質から自然放出されるノイズ光を効率的に除去してレーザ媒質から誘導放出されて増幅出力されるレーザ光を高品質化すると共にレーザ光の出力が低下するのを防止する。【解決手段】レーザ媒質がドープされたコアの外周に、該コアより光屈折率が小さいクラッドが被覆され、少なくとも第１クラッド内に導入された励起レーザ光によりレーザ媒質を励起して誘導放出されるレーザ光を出力するファイバーレーザにおいて、コア外周の少なくとも適宜箇所に、コアの光屈折率以上からなる基材を設け、該基材にレーザ媒質から自然放出されて基材に導入されたノイズ光を反射して除去する反射手段を設ける。【選択図】        図２
2007335689.tif 000002
【特許請求の範囲】
【請求項１】
レーザ媒質がドープされたコア外周に、該コアより光屈折率が小さい第１クラッド及び第１クラッド外周に、第１クラッドより光屈折率が小さい第２クラッドがそれぞれ被覆され、第１クラッドに導入された励起レーザ光によりレーザ媒質を励起して誘導放出されるレーザ光を出力するファイバーレーザにおいて、第１クラッド外周の少なくとも適宜箇所に、第１クラッドの光屈折率以上からなる基材を設け、該基材にレーザ媒質から自然放出されて基材に導入されたノイズ光を反射して除去する反射手段を設けたファイバーレーザ出力装置。
【請求項２】
請求項１の基材は、第１クラッドの長手方向全周に亘って被覆形成すると共に該基材の適宜箇所に反射手段を設けたファイバーレーザ出力装置。
【請求項３】
請求項１の基材は、第１クラッドにおける長手方向の適宜箇所の外周に被覆形成すると共に該基材に反射手段を設けたファイバーレーザ出力装置。
【請求項４】
請求項１の基材は、一端部に励起レーザ光源が光接続されると共に他端部が第１クラッドに光結合され、励起レーザ光を導波する光ファイバーのコアとしたファイバーレーザ出力装置。
【請求項５】
コアにレーザ媒質がドープされると共に該コアの外周に、該コアより光屈折率が低いクラッドが被覆形成されて巻回された光ファイバーと、該光ファイバーの外側に被覆形成され、クラッドと一致する屈折率の合成樹脂からなる第１クラッドと、該第１クラッドの外面に形成され、光屈折率が第１クラッド以上からなる基材と、該基材に設けられ、レーザ媒質から自然放出されて基材に導入されたノイズ光を反射して除去する反射手段と、基材の外面に被覆形成され、第１クラッドより低い屈折率の合成樹脂からなる第２クラッドと、一端部に励起光源が光結合されると共に他端部が、第１クラッドに対し、光ファイバー軸線に対する入射角が鋭角になる傾斜面を有して光結合される励起光導波手段とからなるファイバーレーザ出力装置。
【請求項６】
請求項５の基材は、第１クラッドの外面全体に亘って形成すると共に該基材の適宜箇所に反射手段を設けたファイバーレーザ出力装置。
【請求項７】
請求項５の基材は、第１クラッド外面の適宜箇所に形成すると共に該基材に反射手段を設けたファイバーレーザ出力装置。
【請求項８】
請求項５の基材には、一端部に励起レーザ光源が光接続されると共に他端部が第１クラッドに光結合され、励起レーザ光を導波する光ファイバーのコアとしたファイバーレーザ出力装置。
【請求項９】
請求項１乃至８の反射手段は、励起光を透過する一方、ノイズ光を反射するFBG（Fiber Bragg Grating）としたファイバーレーザ出力装置。
【請求項１０】
レーザ媒質がドープされたコア外周に、該コアより光屈折率が小さい第１クラッド及び第１クラッド外周に、第１クラッドより光屈折率が小さい第２クラッドがそれぞれ被覆され、第１クラッドに導入された励起レーザ光によりレーザ媒質を励起して誘導放出されるレーザ光を出力するファイバーレーザにおいて、光屈折率が第１クラッドの光屈折率以上で、第１クラッド外周に設けられた基材に形成された反射手段により、励起レーザ光により励起されたレーザ媒質から自然放出されるノイズ光を第２クラッド外側へ反射して除去するファイバーレーザ出力装置のノイズ除去方法。
【請求項１１】
レーザ媒質がドープされたコアの外周にクラッドが被覆形成された光ファイバーの外側に、クラッドと一致する屈折率の合成樹脂からなる第１クラッド、該第１クラッドの外面に、第１クラッドより低い屈折率の合成樹脂からなる第２クラッドをそれぞれ被覆形成し、第１クラッドに導入される励起レーザ光によりレーザ媒質から誘導放出されるレーザ光を出力するファイバーレーザにおいて、第１クラッドと第２クラッドの間に光屈折率が第１クラッド以上からなる基材層に設けられた反射手段により、レーザ媒質から自然放出されたノイズ光を第２クラッド外側へ反射して除去するファイバーレーザ出力装置のノイズ除去方法。
【発明の詳細な説明】
【技術分野】
【０００１】
本発明は、コアにドープされて励起レーザ光により励起されるレーザ媒質からレーザ光を誘導放出して増幅出力するファイバーレーザ出力装置及び励起されたレーザ媒質から自然放出されるノイズ光を除去して増幅出力されるレーザ光を高品質化するノイズ除去方法に関する。
【背景技術】
【０００２】
例えば特許文献１に示すように、コアにドープされたレーザ媒質を励起レーザ光により励起し、レーザ媒質から誘導放出されることにより増幅された特定波長のレーザ光を出力するファイバーレーザ出力装置が知られている。該ファイバーレーザ出力装置にあっては、コアの長手方向両端側に反射手段を設け、第１クラッド内に導入された励起レーザ光を閉じ込めてレーザ媒質を効率的に励起してレーザ光を出力している。
【０００３】
しかし、励起レーザ光により励起されたレーザ媒質から自然放出される光は、出力されるレーザ光と同じ波長であるが、多くは方向が揃っていないノイズ光になり、出力されるレーザ光の品質を低下させる原因になっている。しかも、ノイズ光自体、励起レーザ光と同様に第１クラッド内に閉じ込められて励起したレーザ媒質から誘導放出して増幅されることによりレーザ光の品質を著しく低下させると共にレーザ光の出力を低下させる要因になっている。
【特許文献１】特開２００４−２２７０１１号公報
【発明の開示】
【発明が解決しようとする課題】
【０００４】
解決しようとする問題点は、励起レーザ光により励起されたレーザ媒質から放出されたノイズ光により出力されるレーザ光の品質が悪くなると共に出力が低下する点にある。
【課題を解決するための手段】
【０００５】
本発明の請求項１は、レーザ媒質がドープされたコア外周に、該コアより光屈折率が小さい第１クラッド及び第１クラッド外周に、第１クラッドより光屈折率が小さい第２クラッドがそれぞれ被覆され、第１クラッドに導入された励起レーザ光によりレーザ媒質を励起して誘導放出されるレーザ光を出力するファイバーレーザにおいて、第１クラッド外周の少なくとも適宜箇所に、第１クラッドの光屈折率以上からなる基材を設け、該基材にレーザ媒質から自然放出されて基材に導入されたノイズ光を反射して除去する反射手段を設けたことを特徴とする。
【０００６】
請求項５は、コアにレーザ媒質がドープされると共に該コアの外周に、該コアより光屈折率が低いクラッドが被覆形成されて巻回された光ファイバーと、該光ファイバーの外側に被覆形成され、クラッドと一致する屈折率の合成樹脂からなる第１クラッドと、該第１クラッドの外面に形成され、光屈折率が第１クラッド以上からなる基材と、該基材に設けられ、レーザ媒質から自然放出されて基材に導入されたノイズ光を反射して除去する反射手段と、基材の外面に被覆形成され、第１クラッドより低い屈折率の合成樹脂からなる第２クラッドと、一端部に励起光源が光結合されると共に他端部が、第１クラッドに対し、光ファイバー軸線に対する入射角が鋭角になる傾斜面を有して光結合される励起光導波手段とからなることを特徴とする。
【０００７】
請求項１０は、レーザ媒質がドープされたコア外周に、該コアより光屈折率が小さい第１クラッド及び第１クラッド外周に、第１クラッドより光屈折率が小さい第２クラッドがそれぞれ被覆され、第１クラッドに導入された励起レーザ光によりレーザ媒質を励起して誘導放出されるレーザ光を出力するファイバーレーザにおいて、光屈折率が第１クラッドの光屈折率以上で、第１クラッド外周に設けられた基材に形成された反射手段により、励起レーザ光により励起されたレーザ媒質から自然放出され、増幅されたノイズ光を第２クラッド外側へ反射して除去することを特徴とする。
【０００８】
請求項１１は、レーザ媒質がドープされたコアの外周にクラッドが被覆形成された光ファイバーの外側に、クラッドと一致する屈折率の合成樹脂からなる第１クラッド、該第１クラッドの外面に、第１クラッドより低い屈折率の合成樹脂からなる第２クラッドをそれぞれ被覆形成し、第１クラッドに導入される励起レーザ光によりレーザ媒質から誘導放出されるレーザ光を出力するファイバーレーザにおいて、第１クラッドと第２クラッドの間に光屈折率が第１クラッド以上からなる基材層に設けられた反射手段により、レーザ媒質から自然放出されたノイズ光を第２クラッド外側へ反射して除去することを特徴とする。
【発明の効果】
【０００９】
本発明は、励起レーザ光により励起されるレーザ媒質から自然放出されるノイズ光を効率的に除去してレーザ媒質から誘導放出されて増幅されるレーザ光を高品質化すると共にレーザ光の出力低下を防止することができる。
【発明を実施するための最良の形態】
【００１０】
本発明は、第１クラッドの外周の少なくとも適宜箇所に、第１クラッドの光屈折率以上からなる基材を設け、該基材にレーザ媒質から自然放出されて基材に導入されたノイズ光を反射して除去する反射手段を設けたことを最良の形態とする。
【実施例１】
【００１１】
以下に実施形態を示す図に従って本発明を説明する。
図１及び図２において、ファイバーレーザ出力装置１を構成するダブルクラッドファイバー３は、Er、Yb、Nd、Bi、Pr等の希土類レーザ媒質がドープされたコア３ａと、該コア３ａ外周に被覆形成され、該コア３ａより小さい光屈折率の第１クラッド３ｂと、該第１クラッド３ｂ外周に被覆形成され、該第１クラッド３ｂより小さい光屈折率の第２クラッド３ｃとから構成される。該ダブルクラッドファイバー３は、約１５m〜３０mの長さで、コイル状に巻回されている。
【００１２】
尚、ダブルクラッドファイバー３は、コア３ａの長手方向一方端部に、レーザ媒質から放出されたレーザ光を全反射するFBG（Fiber Bragg Grating）等の全反射手段５ａを、また長手方向他方端部には上記したレーザ光の一部を反射して共振させる一方、上記レーザ光の一部を透過して出力するFBG等の半透過反射手段５ｂを設けた共振構造であってもよい。また、ダブルクラッドファイバー３におけるコア３ａの長手方向各端部に全反射手段５ａ及び半透過反射手段５ｂを設けずに非共振構造とした場合にあっては、コア３ａに信号用レーザ光を光結合し、該信号用レーザ光の出力タイミングでレーザ光を出力する構造であってもよい。
【００１３】
ダブルクラッドファイバー３における第１クラッド３ｂ外周の適宜箇所には少なくとも１個の励起光源７が光結合されている。該励起光源７はレーザ媒質を励起する所要波長のレーザ光を出力するレーザダイオード（以下、LDと称する。）９と、一方端部がLD９に光結合されると共に他方端部が第１クラッド３ｂの外周面に接着固定される光ファイバー１１とから構成される。第１クラッド３ｂに光結合される励起光源７としては、第１クラッド３ｂの複数箇所に光結合した構成であってもよい。
【００１４】
該光ファイバー１１は基材を構成するコア１１ａと、該コア１１ａの外周面に被覆形成され、コア１１ａより小さい光屈折率のクラッド１１ｂとからなる。そして該光ファイバー１１の他方端部（第１クラッド３ｂに対する光結合側）は、ダブルクラッドファイバー３の光軸に対して光ファイバー１１の光軸がほぼ平行に近い鋭角になるように傾斜面１１ｃに形成されている。
【００１５】
ダブルクラッドファイバー３に対する光結合側に位置する光ファイバー１１のコア１１ａにはFBG等の反射手段１３が設けられている。該反射手段１３は所要波長の励起レーザ光を透過する一方、上記所要波長以外で、励起されたレーザ媒質から自然放出されるノイズ光を反射する半透過機能を有している。上記光ファイバー１１のコア１１ａは,励起レーザ光の導波路と共に反射手段１３が形成される基材を兼ねている。
【００１６】
尚、図中の符号１５は、ダブルクラッドファイバー３の出力側端部に設けられる出力部材である。
【００１７】
次に、上記ファイバーレーザ出力装置１によるレーザ光の増幅出力作用及びノイズ光の除去方法を説明する。
先ず、ファイバーレーザ出力装置１によるレーザ出力作用を説明すると、LD９を発振駆動して出力される励起レーザ光を、光ファイバー１１を介してダブルクラッドファイバー３の第１クラッド３ｂ内に導入させると、第１クラッド３ｂ内に導入された励起レーザ光は、第１クラッド３ｂ内部にて第２クラッド３ｃの境界面で全反射を繰り返しながらダブルクラッドファイバー３の長手方向全体に亘って伝播される。
【００１８】
このとき、第１クラッド３ｂ内に導入される励起レーザ光は、ダブルクラッドファイバー３の光軸に対してほぼ平行に近い鋭角で導入されるため、第１クラッド３ｂと第２クラッド３ｃの境界に対して臨界角以下になって全反射させられる。また、第１クラッド３ｂに対する光ファイバー１１の光結合箇所には反射手段１３が設けられているが、該反射手段１３自体、励起レーザ光を透過させる機能を有しているため、第１クラッド３ｂに対して励起レーザ光の導入を可能にさせる。
【００１９】
そして第１クラッド３ｂ内にて励起レーザ光が全反射を繰り返しながらダブルクラッドファイバー３の長手方向に亘って伝播する際に、コア３ａを通過することによりレーザ媒質に吸収されて励起させることによりその電子状態を高準位化させる。これによりレーザ媒質からは、所望の特定波長で方向が揃っていないノイズ光が自然放出される。そして自然放出光の一部がコア３ａ内を伝播することにより励起したレーザ媒質に入射されることにより該レーザ媒質から光子を誘導放出させて増幅された特定波長のレーザ光を出力させる。
【００２０】
次に、ノイズ光の除去作用及び方法を説明すると、ダブルクラッドファイバー３の第１クラッド３ｂに光結合される光ファイバー１１のコア１１ａは、光屈折率が第１クラッド３ｂと同等またはそれ以上であるため、レーザ媒質から自然放出されて第１クラッド３ｂ内を伝播するノイズ光は、第１クラッド３ｂと光ファイバー１１のコアの境界で全反射されることなく、光ファイバー１１のコア１１ａ内に導入される。
【００２１】
そして光ファイバー１１のコア１１ａ内に導入されたノイズ光は、該コア１１ａに設けられた反射手段１３によりダブルクラッドファイバー３内に向かうように反射させられる。このとき、反射手段１３によるノイズ光の反射角度が第１クラッド３ｂ及び第２クラッド３ｃの境界面に対して臨界角以上になり、反射されたノイズ光は第１クラッド３ｂ及びコア３ａを通過した後に第１クラッド３ｂと第２クラッド３ｃの境界を透過して外部へ放出されることによりダブルクラッドファイバー３内から除去される。（図３参照）
【００２２】
尚、第１クラッド３ｂ内にて励起レーザ光が伝播する際に、その一部がコア１１ａ内に入射されるが、入射された励起レーザ光は、 反射手段１３を透過した後に、該コア１１ａとクラッド１１ｂの境界で反射して第１クラッド３ｂ内に戻されて伝播することによりレーザ媒質を励起させる。
【００２３】
本実施例は、第１クラッド３ｂに対する励起レーザ光の導波路を構成する光ファイバー１１のコア１１ａが第１クラッド３ｂの光屈折率以上であることに着目し、該コア１１ａに反射手段１３を形成し、レーザ媒質から励起されて第１クラッド３ｂ内を伝播するノイズ光を反射手段１３により第１クラッド３ｂの臨界角度以上で反射させることによりダブルクラッドファイバー３外へ放出して除去し、増幅されるレーザ光を高品質化すると共にレーザ光の出力低下を防止することができる。
【実施例２】
【００２４】
図４及び図５において、本実施例に係るファイバーレーザ出力装置５０のダブルクラッドファイバー５１は、実施例１と同様にレーザ媒質がドープされたコア５１ａの外周に、該コア５１ａより光屈折率が低い第１クラッド５１ｂが被覆形成されている。そして第１クラッド５１ｂにおける長手方向の適宜箇所には光屈折率が第１クラッド５１ｂ以上の基材５１ｃが、外周の一部又は外周全体に被覆形成されている。図５は、第１クラッド５１ｃの外周に対し,長手方向に対して部分的に基材５１ｃを形成した例を示す。
【００２５】
基材５１ｃとしては、例えば鉛含有石英ガラスからなり、FBG等の反射手段５３が形成されている。該反射手段５３は基材５１ｃに紫外線を照射して屈折率を異ならせることによりを形成する。該反射手段５３は、後述する励起レーザ光を透過させる一方、励起されたレーザ媒質から自然放出されるノイズ光を、後述する第１クラッド５１ｂ及び第２クラッド５１ｄ境界の臨界角以上の角度で反射させてダブルクラッドファイバー５１外へ除去する機能を有している。
【００２６】
一部に基材５１ｃが被覆形成された第１クラッド５１ｂの外周には第２クラッド５１ｄが長手方向全体にわたって被覆形成されている。該第２クラッド５１ｄは、光屈折率が第１クラッド５１ｂより低い、従って基材５１ｃよりも低い材質からなる。
【００２７】
一方、ダブルクラッドファイバー５１における一方端部の第１クラッド５１ｂ端面には励起光源５５が光結合されている。該励起光源５５は、上記した励起光源７と同様にLD９及び光ファイバー１１から構成され、LD９から出力されてコア１１ａ内を伝播される励起レーザ光を第１クラッド５１ｂ内に導入させる。
【００２８】
尚、図５は、ダブルクラッドファイバー５１におけるコア５１ａの長手方向端部に、実施例１に示す全反射手段５ａ及び半透過反射手段５ｂを設けずに、ダブルクラッドファイバー５１のコア５１ａの一方端部に信号用レーザ光源５７を光結合し、信号用レーザ光源５７から出力される信号用レーザ光の入射タイミングでレーザ光を出力させる構造としたが、実施例１と同様にダブルクラッドファイバー５１におけるコア５１ａの長手方向端部に全反射手段及び半透過反射手段をそれぞれ設けて共振構造としてもよい。実施例１と同一の部材に付いては、同一の符号を付して詳細な説明を省略する。
【００２９】
次に、レーザ媒質から自然放出されるノイズ光の除去作用及び方法を説明すると、第１クラッド５１ｂ内を反射しながら伝播する励起レーザ光がコア５１ａを通過することによりレーザ媒質が励起されてノイズ光が自然放出されると、ノイズ光は励起レーザ光と共に第１クラッド５１ｂ内を全反射しながら伝播してコア５１ａ内を通過する際にレーザ媒質から誘導放出してノイズ光を増幅させる。基材５１ｃに応じた箇所の第１クラッド５１ｂ内面に照射されたノイズ光は、第１クラッド５１ｂ内を伝播する際に、基材５１ｃが第１クラッド５１ｂの光屈折率以上であることにより、反射されずに基材５１ｃ内に入射される。
【００３０】
そして基材５１ｃ内に入射されたノイズ光は、反射手段５３により第１クラッド５１ｂ内面の臨界角以上の角度で反射させられる。これにより反射手段５３から反射したノイズ光は、第１クラッド５１ｂの内面で反射されることなく第２クラッド５１ｄを透過してダブルクラッドファイバー５１の外部へ放出されることにより除去される（図６参照）。
【００３１】
尚、第１クラッド５１ｂ内を伝播する励起レーザ光は、ノイズ光と同様に第１クラッド５１ｂの内面を透過して基材５１ｃ内に導入されるが、反射手段５３を透過した後に第２クラッド５１ｄの境界で全反射させられて第１クラッド５１ｂ内を伝播しながらコア５１ａを通過してレーザ媒質を励起させる。
【００３２】
本実施例にあっては、第１クラッド５１ｂの長手方向の適宜箇所に基材５１ｃを設けて反射手段５３を形成したが、図７に示すように第１クラッド５１ｂ外周の長手方向全体に亘って基材８１を形成し、該基材８１の適宜箇所に反射手段８３を形成してもよい。また、図８に示すように第１クラッド５１ｂの一部外周面に基材９１を膨出形成して断面小判形とし、該基材９１に反射手段９３を形成してもよい。
【００３３】
更に、本実施例は、第１クラッド５１ｂの端面に励起レーザ光を入射する構成としたが、図９に示すように実施例１と同様に第１クラッド５１ｂの外周面にLD９に接続された光ファイバー１０１を光結合して第１クラッド５１ｂの側面から励起レーザ光を入射させる構成であってもよい。
【実施例３】
【００３４】
本実施例は、ファイバーレーザ出力装置１１１を構成するダブルクラッドファイバー１１３を、以下のよう形成することを特徴とする。
図１０及び図１１に示すようにダブルクラッドファイバー１１３を構成する光ファイバー１１５は、希土類レーザ媒質がドープされたコア１１５ａの外周に、該コア１１５ａより光屈折率が低いクラッド１１５ｂが被覆形成され、例えば１５m〜３０m位の所要の長さからなる。
【００３５】
上記光ファイバー１１５は、外周面に後述する第２クラッド１１７の一部及び第１クラッド１１９の一部が被覆された金属パイプ等のボビン１２１の外周面に対し、軸線方向へ微小間隙を設けた状態で、ほぼ円筒状で一重に巻回される。そして光ファイバー１１５の一方端部にはFBG（Fiber Bragg Grating）等の全反射手段（図示せず）が、また他方端部にはFBGや半透過ミラー等の透過反射手段（図示せず）がそれぞれ設けられた共振構造になっている。
【００３６】
ボビン１２１の外周にほぼ円筒状で一重に巻回された光ファイバー１１５の外周側には、第１クラッド１１９が所要の厚さで被覆形成されている。該第１クラッド１１９はクラッド１１５ｂと一致する光屈折率を有した熱硬化性樹脂または光（紫外線）硬化性樹脂からなり、光ファイバー１１５が巻回されたボビン１２１外周面に被覆形成した際に、巻回された光ファイバー１１５の相互間に充填した状態でボビン１２１の外周面に予め被覆形成された第１クラッド１１９に一体化される。
【００３７】
第１クラッド１１９の外面には、基材層１２３が設けられている。基材層１２３は、例えば鉛ドープ石英板等で、光屈折率が第１クラッド１１９以上からなり、実施例１及び２に示すFBG等の反射手段１２５が、局所的に形成されている。そして該基材層１２３の外面には、光屈折率が第１クラッド１１９より低い熱硬化性樹脂または光（紫外線）硬化性樹脂からなる第２クラッド１１７が被覆形成され、これら光ファイバー１１５、第１クラッド１１９、基材層１２３及び第２クラッド１１７によりダブルクラッドファイバー１１３を構成している。
【００３８】
尚、実施例１と同一の部材に付いては、同一の符号を付して詳細な説明を省略する。
【００３９】
本実施例にあっては、第１クラッド１１９内を反射しながら伝播する励起レーザ光がコア１１５ａを通過する際に、レーザ媒質を励起してノイズ光を自然放出させる。ノイズ光は、励起レーザ光と共に第１クラッド１１９内を反射しながら伝播する。第１クラッド１１９内を伝播する際に、基材層１２３が第１クラッド１１９の光屈折率以上であるため、反射されずに基材１２３内に進入することになる。そして基材１２３内に進入したノイズ光は、反射手段１２５により第１クラッド１１９内面の臨界角以上の角度で反射させられるため、第２クラッド１１７を透過してダブルクラッドファイバー１１３の外部へ放出させることにより除去される。
【００４０】
これによりダブルクラッドファイバー１１３からノイズ光を除去して誘導放出されるレーザ光を高品質化すると共に出力低下を防止することができる（図１２参照）。
【００４１】
尚、ファイバーレーザ出力装置１１１を構成するダブルクラッドファイバー１１３は、渦巻状に巻回して平面状に形成する構成であってもよい。また、図１３に示すように光ファイバー１１５の外周に第１クラッド１１９を、軸線直交方向断面が多角形状になるように被覆形成した後に、第１クラッド１１９が被覆された光ファイバー１１５を互いに密着して平面状或いは円筒状に巻回する。そして平面状或いは円筒状の第１クラッド１１９の外面に基材層１２３を被覆形成すると共に該基材層１２３に反射手段１２５を設けた後に、該基材層１２３の外面に第２クラッド１１７を被覆形成した構成であってもよい。
【００４２】
本発明は、第１クラッドの外面に、部分的若しくは全体的に設けられた基材に反射手段を設け、該反射手段により励起されたレーザ媒質から放出されるノイズ光を反射してダブルクラッドファイバーから除去することを要旨とするものであり、その励起方法、増幅構造等により限定されるものではない。
【図面の簡単な説明】
【００４３】
【図１】ファイバーレーザ出力装置の概略を示す全体斜視図である。
【図２】図１のＡ箇所を拡大して示す断面説明図である。
【図３】ノイズ除去状態を示す説明図である。
【図４】実施例２に係るファイバーレーザ出力装置の概略を示す全体斜視図である。
【図５】図４のＢ箇所を拡大して示す断面説明図である。
【図６】ノイズ除去状態を示す説明図である。
【図７】変更実施例を示す説明図である。
【図８】変更実施例を示す説明図である。
【図９】変更実施例を示す説明図である。
【図１０】実施例３に係るファイバーレーザ出力装置の概略を示す全体斜視図である。
【図１１】図１０のＣ箇所を拡大して示す断面説明図である。
【図１２】ノイズ除去状態を示す説明図である。
【図１３】変更実施例を示す説明図である。
【符号の説明】
【００４４】
１  ファイバーレーザ出力装置
３  ダブルクラッドファイバー
３ａ  コア
３ｂ  第１クラッド
３ｃ  第２クラッド
７  励起光源
９  LD
１１  光ファイバー
１１ａ  コア
１１ｂ  クラッド
１３  反射手段
【図１】
2007335689.tif 000003
【図２】
2007335689.tif 000004
【図３】
2007335689.tif 000005
【図４】
2007335689.tif 000006
【図５】
2007335689.tif 000007
【図６】
2007335689.tif 000008
【図７】
2007335689.tif 000009
【図８】
2007335689.tif 000010
【図９】
2007335689.tif 000011
【図１０】
2007335689.tif 000012
【図１１】
2007335689.tif 000013
【図１２】
2007335689.tif 000014
【図１３】
2007335689.tif 000015
【手続補正書】
【提出日】平成18年6月19日(2006.6.19)
【手続補正１】
【補正対象書類名】明細書
【補正対象項目名】００１５
【補正方法】変更
【補正の内容】
【００１５】
ダブルクラッドファイバー３に対する光結合側に位置する光ファイバー１１のコア１１ａにはFBG等の反射手段１３が設けられている。該反射手段１３は所要波長の励起レーザ光を透過する一方、上記所要波長以外で、励起されたレーザ媒質から自然放出されるノイズ光を反射するフィルター機能を有している。上記光ファイバー１１のコア１１ａは,励起レーザ光の導波路と共に反射手段１３が形成される基材を兼ねている。
【手続補正２】
【補正対象書類名】明細書
【補正対象項目名】００２５
【補正方法】変更
【補正の内容】
【００２５】
基材５１ｃとしては、例えば鉛含有石英ガラスからなり、FBG等の反射手段５３が形成されている。該反射手段５３は基材５１ｃに紫外線を照射して屈折率を異ならせることにより形成する。該反射手段５３は、後述する励起レーザ光を透過させる一方、励起されたレーザ媒質から自然放出されるノイズ光を、後述する第１クラッド５１ｂ及び第２クラッド５１ｄ境界の臨界角以上の角度で反射させてダブルクラッドファイバー５１外へ除去する機能を有している。
【手続補正３】
【補正対象書類名】図面
【補正対象項目名】図３
【補正方法】変更
【補正の内容】
【図３】
2007335689.tif 000016
【手続補正４】
【補正対象書類名】図面
【補正対象項目名】図６
【補正方法】変更
【補正の内容】
【図６】
2007335689.tif 000017
【手続補正５】
【補正対象書類名】図面
【補正対象項目名】図１２
【補正方法】変更
【補正の内容】
【図１２】
2007335689.tif 000018